(57)【要約】【課題】  バンドを引き通すことなく、表面側から見ると時計バンドを時計ケースの裏面側に引き通したように見える時計バンドの取付構造を提供することにある。【解決手段】  時計ケース１０のバンド取付部１０Ａ，１０Ｂには延伸部１０ａ，１０ｂが設けられている。延伸部１０ａ，１０ｂの裏面側には足部１０ｃ，１０ｄが設けられている。延伸部１０ｂには孔１０ｅが設けられている。バンド１２Ｂは、そのバンド端部１２ｂが足部１０ｄに取り付けられ、延伸部１０ｂの孔１０ｅから表面側に引き出される。足部１０ｃ，１０ｄが延伸部１０ａ，１０ｂの裏面側に隠れ且つバンド１２Ｂが延伸部１０ｂの孔１０ｅから引き出されると、バンド１２Ａ，１２Ｂは時計ケース１０の裏面側を引き通されているように見える。【選択図】  図６
2007232624.tif 000002
【特許請求の範囲】
【請求項１】
時計ケースの一対のバンド取付部にバンド取付方向に突出する延伸部をそれぞれ設け、該延伸部の裏面側に設けた足部にバンド端部を取り付け、前記延伸部の一方又は両方に設けた孔から表面側にバンドを引き出すことを特徴とする時計バンドの取付構造。
【請求項２】
前記延伸部の端部の表面に前記バンドに適合する凹部を設け、前記孔から引き出された前記バンドを前記凹部で受けることを特徴とする請求項１記載の時計バンドの取付構造。
【請求項３】
前記足部は、前記延伸部にネジ止めされることにより取り付けられていることを特徴とする請求項１又は２記載の時計バンドの取付構造。
【発明の詳細な説明】
【技術分野】
【０００１】
本発明は、時計ケースに時計バンドを取り付ける構造に関するものであり、特に、時計ケースの裏面側に時計バンドを引き通したように見える取付構造に関する。
【背景技術】
【０００２】
従来のこの種の時計バンドの取付構造では、図１２及び図１３に示すように、時計ケース２の１２時及び６時位置に設けられたスリットあるいはピン４と時計ケース２との間に形成される隙間６にバンド８を通すことにより、バンド８を時計ケース２に取り付けていた。このバンド８は、時計ケース２の表面側から一方の隙間６に通され、その後、時計ケース２の裏面に沿って引き通されて、他方の隙間６から表面側に引き出されていた。このようにバンド８を時計ケース２の裏面側に引き通す時計バンドの取付構造は、バンドとケースのつながりが自然で綺麗に見えるため、その基本構造をそのままに各種の変更を加えたものが数多く提案されていた（特許文献１及び特許文献２参照）。
【０００３】
しかしながら、上記従来の時計バンドの取付構造においては、時計ケースの裏面側に時計バンドが引き通されるため、時計ケースの厚みに時計バンドの厚みが加わって総厚が厚くなってしまう。このため、腕にフィットする薄型時計を提供することが困難であった。また、従来の取付構造では、何等かのストッパ機構を設けなければ、時計がバンド上を移動してしまうという問題もあった。
【特許文献１】実開昭４９−１０３４７１号公報
【特許文献２】実開昭４９−１３６７８号公報
【発明の開示】
【発明が解決しようとする課題】
【０００４】
本発明が解決しようとする課題は、上記従来技術の問題点を解決し、時計バンドを時計ケースの裏面側に引き通すことなく、表面側から見ると時計バンドを時計ケースの裏面側に引き通したように見える時計バンドの取付構造を提供することにある。
【課題を解決するための手段】
【０００５】
本発明の時計バンドの取付構造は、時計ケースの一対のバンド取付部にバンド取付方向に突出する延伸部をそれぞれ設け、該延伸部の裏面側に設けた足部にバンド端部を取り付け、前記延伸部の一方又は両方に設けた孔から表面側にバンドを引き出すものである。この時計バンドの取付構造における前記延伸部の端部の表面には、前記バンドに適合する凹部が設けられ、前記孔から引き出された前記バンドを前記凹部で受けるものとなっている。また、前記足部は、前記延伸部にネジ止めされることにより取り付けられている。
【発明の効果】
【０００６】
本発明によれば、バンドの取付部分が時計ケースの延伸部により隠れると共に、この延伸部の孔からバンドが引き出されることで、バンドが時計ケースの裏面側を引き通されているように見え、バンドとケースのつながりを自然で綺麗なものとすることができる。
【０００７】
また、バンドはケースの端部に取り付けられていて、実際にはケースの裏面側を通っていないので、バンドの厚みがケースの厚みに加算されることがなく、薄型時計のフィット感を損なうことがない。
【０００８】
また、外観上、バンドがケースの裏面側を通る引き通し構造に見えるが、実際は、バンドの端部がケースに固定されているので、バンド上をケースが移動してしまうことがない
。
【発明を実施するための最良の形態】
【０００９】
本発明の時計バンドの取付構造における時計ケースには、その一対のバンド取付部に延伸部がそれぞれ設けられている。この延伸部はバンド取付方向に伸びるものであり、その裏面側に足部が設けられている。この延伸部の一方又は両方には、孔が設けられている。バンドは、そのバンド端部が足部に取り付けられ、延伸部の孔から表面側に引き出されている。このように、バンド端部が取り付けられる足部が延伸部の裏面側に隠れると共にバンドが延伸部の孔から引き出されると、バンドが時計ケースの裏面側を引き通されているように見える。これにより、実際に時計ケースの裏面側にバンドを通すことなく、引き通し構造のような外観にすることができる。
【実施例１】
【００１０】
図１は本発明の実施例１に係る時計バンドの取付構造を示す腕時計の正面図、図２は図１に示す腕時計の側面図、図３乃至図５は図１に示す時計ケースの正面図、背面図及び側面図、図６は図１に示す時計ケースの中央従断面図である。１０は時計ケースであり、本実施例においては、ムーブメント２２を内包する胴１０Ｃと、胴１０Ｃの裏面側に取り付けられた裏蓋１０Ｄと、胴１０Ｃの表面側に取り付けられた風防１０Ｅとから構成されている。この胴１０Ｃの１２時、６時位置には、バンド取付部１０Ａ，１０Ｂがそれぞれ設けられている。このバンド取付部１０Ａ，１０Ｂには、バンド取付方向（図中上下方向）にそれぞれ突出する板状の延伸部１０ａ，１０ｂと、この延伸部１０ａ，１０ｂの裏面側にそれぞれ形成された足部１０ｃ，１０ｄとが設けられている。本実施例における１２時位置の延伸部１０ａは足部１０ｃを隠して表面側から見えないようにするために、足部１０ｃよりもわずかに長くなるように突出している。また、６時位置の延伸部１０ｂは足部１０ｄよりも大きく突出しており、大きく突出した部分に孔１０ｅが設けられている。この孔１０ｅは、平面形状が略矩形をなし、その幅が後述するバンドの短手方向の幅に適合するか又はわずかに幅広となるように設定されている。また、延伸部１０ｂの端部の表面には、図７に示すように、凹部１０ｊが設けられている。この凹部１０ｊは後述するバンドの短手方向の幅に適合するように設定されている。また、足部１０ｃ，１０ｄには、貫通孔又は有底孔からなる取付孔１０ｆ，１０ｇがそれぞれ設けられている。
【００１１】
１２Ａ，１２Ｂはバンドであり、それぞれバンド取付部１０Ａ，１０Ｂに取り付けられている。図６に示すように、このバンド１２Ａ，１２Ｂのバンド端部１２ａ，１２ｂは管状をなし、ここにバネ棒、ピン、ネジ等の連結用の棒状部材１４，１６が収められている。
【００１２】
また、本実施例においては、延伸部１０ａ，１０ｂの中央にネジ孔１０ｈ，１０ｉが設けられており、ここに装飾としてのネジ１８，２０が取り付けられている。
【００１３】
上記バンド１２Ａ，１２Ｂは、次のようにして時計ケース１０のバンド取付部１０Ａ，１０Ｂに取り付けられる。即ち、バンド１２Ａ，１２Ｂは、そのバンド端部１２ａ，１２ｂに挿入した棒状部材１４，１６の端部を足部１０ｃ，１０ｄの取付孔１０ｆ，１０ｇに嵌め込むことで、足部１０ｃ，１０ｄに取り付けられる。その後、バンド１２Ｂを延伸部１０ｂの孔１０ｅから時計ケース１０の表面側に引き出す。もちろん、バンド１２Ｂを孔１０ｅから引き出した後に足部１０ｄに取り付けることも可能である。このときに、バンド１２Ｂは、延伸部１０ｂ端部にある凹部１０ｊによって受けられて、腕に馴染む方向にわん曲する。
なお、凹部１０ｊはなくてもバンド１２Ｂを足部１０ｄに取り付けられることは言うまでもない。
【００１４】
このように、本実施例は、時計ケース１０とバンド１２Ａ，１２Ｂとを連結する足部１０ｃ，１０ｄが、延伸部１０ａ，１０ｂの裏面側に位置していることで表面側から見えないように構成されている。また、バンド１２Ｂを延伸部１０ｂの孔１０ｅから引き出すことで時計ケース１０がバックルとして機能しているように装うことができ、バンド１２Ａ，１２Ｂが時計ケース１０の裏面側を引き通されているように見せることができる。
【００１５】
また、バンド１２Ａ，１２Ｂは、実際には時計ケース１０の裏面側を引き通されていないので、時計ケース１０の厚みにバンド１２Ａ，１２Ｂの厚みが加わることがなく、薄型時計の良好な装着感を損なうことがない。特に、延伸部１０ｂの端部に凹部１０ｊを設けているので、孔１０ｅから引き出されたバンド１２Ｂが表面側に大きく突出することがなく、バンド１２Ｂを時計ケース１０に取り付けた状態における総厚もほとんど増加することがない。
【００１６】
また、本実施例における足部１０ｃ，１０ｄは溶接等により延伸部１０ａ，１０ｂの裏面に接合されているが、ネジ１８，２０を用いてネジ止めすることもできる。図８に示すように、足部１０ｃ，１０ｄを下向きコの字形に形成し、その中央の連設部１０ｋにネジ孔１０ｍを設け、延伸部１０ａ，１０ｂのネジ孔又は貫通孔１０ｈ，１０ｉに挿通されるネジ１８，２０の先端をネジ孔１０ｍに螺合することで足部１０ｃ，１０ｄを延伸部１０ａ，１０ｂに取り付ける。このように足部１０ｃ，１０ｄをネジ止めすることで、バンド１２Ａ，１２Ｂのバンド端部１２ａ，１２ｂの形状や構造に合わせて適宜足部１０ｃ，１０ｄを交換し装着することができる。
【００１７】
また、図９に示すように、延伸部１０ｂの端部中央に切欠を設けて、孔１０ｅがバンド取付方向にわずかに開口するように構成し、バンド１２Ｂを引き出す際に、孔１０ｅの開口部分を利用してバンド１２Ｂをわずかにねじることで引き出すことができるように変更しても良い。
【実施例２】
【００１８】
図１０は本発明の実施例２に係る時計バンドの取付構造を示す腕時計の正面図、図１１は図１０に示す腕時計の側面図である。本実施例における時計バンドの取付構造は、１２時位置の延伸部１０ａも６時位置の延伸部１０ｂと同様により長く伸ばすと共にそこに孔１０ｅと同様の孔１０ｎを設けたものとなっている。尚、その他の構成部分、例えば足部１０ｃ，１０ｄ及びその取付構造、バンド１２Ａ，１２Ｂ及びその取付構造などに関しては全て実施例１と同一となっている。即ち、時計ケース１０は、胴１０Ｃ、裏蓋１０Ｄ、風防１０Ｅからなり、バンド取付部１０Ａ，１０Ｂを有している。また、足部１０ｃ，１０ｄは延伸部１０ａ，１０ｂの裏面側に溶接等により接合されるか又はネジ１８，２０を用いて固着されている。また、バンド１２Ａ，１２Ｂはそのバンド端部１２ａ，１２ｂに挿入された棒状部材１４，１６により足部１０ｃ，１０ｄに取り付けられている。
【００１９】
また、本実施例における延伸部１０ａ端部にも、延伸部１０ｂの凹部１０ｊと同様にバンド１２Ａの短手方向の幅に適合する凹部１０ｐが設けられている。これにより、バンド端部１２ａを足部１０ｃに取り付け、バンド１２Ａを孔１０ｎから表面側に引き出したときに、バンド１２Ａを凹部１０ｐで受けてバンド１２Ａが表面側に大きく突出することを防いでいる。
【００２０】
本実施例においては、図１０に示すように、バンド１２Ａ，１２Ｂがそれぞれ延伸部１０ａ，１０ｂの孔１０ｎ，１０ｅから引き出されて、時計ケース１０の裏面側を一連のバンドが引き通されているように見せることができる。特に、１２時、６時位置のバンド取付部１０Ａ，１０Ｂが同じ形状、構成になることで、バンド１２Ａ，１２Ｂが時計ケース１０の裏面側を引き通されているような印象をより強く与えるものとなっている。
【産業上の利用可能性】
【００２１】
装飾性の高い時計においては、時計ケースとバンドとを一体感のあるデザイン及び材質で形成することがあり、例えば、時計ケースと同質の金属材料からなるバンドを取り付けている。本発明の場合、時計ケースとバンドに一体感を持たせても良いし、また、全く異質のデザイン及び材質で別体であることを強調することでバンドが時計ケースの裏面側を引き通しているように見えることを強調することも可能である。例えば、金属製の時計ケースに対し、材質が異なる皮、ウレタン、布等からなるバンドを用いて、引き通しに見えることを強調しても良い。
【図面の簡単な説明】
【００２２】
【図１】本発明の実施例１に係る時計バンドの取付構造を示す腕時計の正面図である。
【図２】図１に示す腕時計の側面図である。
【図３】図１に示す時計ケースの正面図である。
【図４】図１に示す時計ケースの背面図である。
【図５】図１に示す時計ケースの側面図である。
【図６】図１に示す時計ケースの中央従断面図である。
【図７】図１等に示す凹部を示す斜視図である。
【図８】図６等に示す足部の他の取付構造を示す要部断面図である。
【図９】図３等に示す延伸部の孔に開口部分を設けた変更例を示す正面部分図である。
【図１０】本発明の実施例２に係る時計バンドの取付構造を示す腕時計の正面図である。
【図１１】図１０に示す腕時計の側面図である。
【図１２】従来のバンドの引き通し構造を有する腕時計を示す正面図である。
【図１３】図１２に示す腕時計の側面図である。
【符号の説明】
【００２３】
２      ケース
４      ピン
６      隙間
８      バンド
１０    時計ケース
１０Ａ，１０Ｂ  バンド取付部
１０Ｃ  胴
１０Ｄ  裏蓋
１０Ｅ  風防
１０ａ，１０ｂ  延伸部
１０ｃ，１０ｄ  足部
１０ｅ，１０ｎ  孔
１０ｆ，１０ｇ  取付孔
１０ｈ，１０ｉ  ネジ孔
１０ｊ，１０ｐ  凹部
１０ｍ  ネジ孔
１２Ａ，１２Ｂ  バンド
１２ａ，１２ｂ  バンド端部
１４，１６  棒状部材
１８，２０  ネジ
【図１】
2007232624.tif 000003
【図２】
2007232624.tif 000004
【図３】
2007232624.tif 000005
【図４】
2007232624.tif 000006
【図５】
2007232624.tif 000007
【図６】
2007232624.tif 000008
【図７】
2007232624.tif 000009
【図８】
2007232624.tif 000010
【図９】
2007232624.tif 000011
【図１０】
2007232624.tif 000012
【図１１】
2007232624.tif 000013
【図１２】
2007232624.tif 000014
【図１３】
2007232624.tif 000015